(57)【要約】      （修正有）【課題】扉体に取付けた物品吊下げ具の前後方向のガタを防止するとともに、扉体に取付け易く、且つ外れ難い構造の物品吊下げ具を提供する。【解決手段】被取付体の端部に着脱自在に取付けられる物品吊下げ具であって、懸架体３０と取付体４０とからなり、取付体４０は基部４１の上端から一対の水平片４２が延設され、水平片４２の端部から下方に向かって垂下片４３を延設し、垂下片４３に対向して基部４１の裏面下方から垂下片４３との間隔を狭めるように上方に向かって一対の弾性片４５が上方の水平片４２の近傍まで延設されている。【選択図】図３
2011000384.tif 000002
【特許請求の範囲】
【請求項１】
被取付体（７）の端部に着脱自在に取付けられる物品吊下げ具であって、懸架体（３０）と取付体（４０）とからなり、前記取付体（４０）は基部（４１）の上端から一対の水平片（４２）が延設され、該水平片（４２）の端部から下方に向かって垂下片（４３）を延設し、前記垂下片（４３）に対向して前記基部（４１）の裏面下方から垂下片（４３）との間隔を狭めるように上方に向かって一対の弾性片（４５）が上方の水平片（４２）の近傍まで延設されていることを特徴とする物品吊下げ具。
【請求項２】
凸条（４３１、４５１）が前記弾性片（４５）の上部垂下片側と前記垂下片（４３）の下端近傍の弾性片側に設けられており、前記基部（４１）の前面側の両端に一対の掛支体保持部（４４）を有し、該掛支体保持部（４４）の嵌合凹部（４６）に、懸架体（３０）の腕部（３２）内側に設けられた嵌合凸軸（３３）が嵌合可能に設けられ、両腕部（３２）を連結する掛支部（３１）を有する懸架体（３０）が着脱可能であることを特徴とする請求項１に記載の物品吊下げ具。
【請求項３】
前記嵌合凸軸（３３）には回り止め突起（３４）と、前記嵌合凹部（４６）には回り止め凹み（４７）が設けられており、取付体（４０）に対して懸架体（３０）が所定位置で回転停止させることができることを特徴とする請求項２に記載の物品吊下げ具。
【発明の詳細な説明】
【技術分野】
【０００１】
この発明は、キッチン収納部等の扉体上端部に懸架して、タオル、布巾、キッチン用品、或いは手元ゴミを入れるビニール袋などを吊下げて炊事作業を便利にする物品吊下げ具に関する。
【背景技術】
【０００２】
従来、この種の物品吊下げ具は、物品収納部等の扉体上端部に収まる板厚の鉤状引掛部を形成して扉体上端部に懸架して取付けられるが、対応する扉の厚みが種類によってまちまちであるため、扉体の板厚と鉤状引掛部の湾曲幅の差厚を調整することが問題となっていた。
【０００３】
この問題に対応するため、例えば、特許文献１では、背板と背板に対して直角に連設された天板と、この天板に対し鋭角、かつ、背板方向に向かって設けられる弾性変形可能な脚板とを一体に構成した吊下具が紹介され、また、特許文献２では、前面に吊下げフック機構を設け、背部に扉体の上端部に掛架する鉤状屈曲部を形成し、屈曲鉤片の対向面に介在物（被取付体）を鉤片側に押圧付勢する弧状板バネ機構を設定し、また、これを上下のバネ翼に分割し、分割したバネ翼の分割端面をリブによって連結して一体成形するようにした吊掛け具が開示されている。
【先行技術文献】
【特許文献】
【０００４】
【特許文献１】特開２０００−０５１０５７号公報
【特許文献２】特開２００８−１７８４２９号公報
【発明の概要】
【発明が解決しようとする課題】
【０００５】
しかしながら、特許文献１にあっては、背板面と脚板の下端で扉体を挟持する構造であるため、扉体の板厚が薄い場合は扉体上部の前後方向に隙間が生じることにより吊下具上部が前後にガタツキ易く、さらに、吊下具を扉体に取付ける場合は背板と脚板を前後に開いた状態で扉体に挿入して取付ける必要があり取付け易さの点に問題があるとともに、フック部に吊下げた買物袋などを左右方向に引っ張ると吊下具が回転し外れ易いと言う問題があった。
また、特許文献２では、扉体背面に当接する屈曲鉤片と円弧状バネ板の上下で扉体を挟持するため、吊掛け具の前後方向の揺れは、バネで上下を押圧するため前後方向のガタは規制されるも、扉体への取付に際し円弧状バネ板の下部バネ板が突出しているため、該下部バネ板が扉体に引っ掛かり取付易さの点で問題があった。
【０００６】
本発明は、このような問題点に着目してなされたもので、扉体に取付けた物品吊下げ具の前後方向のガタを防止しするとともに、扉体に取付け易く、且つ外れ難い構造の物品吊下げ具を提供することを目的とする。
【課題を解決するための手段】
【０００７】
前記課題を解決するために、請求項１に記載の発明は、被取付体の端部に着脱自在に取付けられる物品吊下げ具であって、懸架体と取付体とからなり、前記取付体は基部の上端から一対の水平片が延設され、該水平片の端部から下方に向かって垂下片を延設し、前記垂下片に対向して前記基部の裏面下方から垂下片との間隔を狭めるように上方に向かって一対の弾性片が上方の水平片の近傍まで延設されていることを特徴としている。
【０００８】
この発明によれば、物品吊下げ具の基部の裏面下方から垂下片との間隔を狭めるように上方に向かって一対の弾性片が上方の水平片の近傍まで延設されているため、取付体の下端が最も広く構成され、扉等の被取付体の上部から下方に向けて押し込むことで物品吊下げ具を容易に被取付体に取付けることができる。また、弾性片が両側に一対設けられるため、被取付体上面を水平片の裏面に当接させ、被取付体を幅方向の前後両側で挟持しており、物品吊下げ具を左右方向に揺らしても被取付体から物品吊下げ具が外れにくくなっている。
【０００９】
また更に、弾性片が上方ほど垂下片との間隔を狭めるよう構成されているため、被取付体を挟持する作用点は垂下片の内側面と弾性片上部に位置するため、物品吊下げ具の前後方向のガタが弾性片の弾性力で規制されるためガタツキ難く、基部下端も広げる方向への力が作用するため前後方向への回転も規制することができるとともに、例えば、ライン取手付き扉等のように被取付体の上端下方に手掛け部としての窪みがあっても問題なく確実に物品吊下げ具を取付けることができ、利用範囲の制限を少なくしている。
【００１０】
また、請求項２に記載の発明は、前記請求項１に記載の発明を技術的前提として、凸条が前記弾性片の上部垂下片側と前記垂下片の下端近傍の弾性片側に設けられており、前記基部の前面側の両端に一対の掛支体保持部を有し、該掛支体保持部の嵌合凹部に、懸架体の腕部内側に設けられた嵌合凸軸が嵌合可能に設けられ、両腕部を連結する掛支部を有する懸架体が着脱可能であることを特徴とするものである。
この発明によれば、請求項１に記載の効果に加え、凸条が弾性片の上部垂下片側と垂下片の下端近傍の弾性片側に設けられ被取付体を線接触で押圧挟持するため、更に左右方向に回転し難くガタツキにくいとともに、掛支部を有する懸架体が着脱可能に設けてあるため、布巾やタオルなどを掛支部に吊るし易く、掛支部を外して水洗いできる。
【００１１】
また、請求項３に記載の発明は、前記請求項２に記載の発明を技術的前提とし、前記嵌合凸軸には回り止め突起と、前記嵌合凹部には回り止め凹みが設けられており、取付体に対して懸架体が所定位置で回転停止させることができることを特徴とするものである。
この発明によれば、請求項１及び請求項２の発明の効果に加え、取付体に対して懸架体が所定位置で回転停止させることができ、懸架体を被取付体に対して直角方向の前面側に停止させてタオルなどを掛支部に掛けてその後上又は下側に懸架体を回転させておくことができるため、物品の吊下げが容易にできるとともに、通常時は倒しておけば被取付体の前方方向へ物品吊下げ具が突き出さず、前面を炊事などで移動する人との衝突を防ぐことができる。
【図面の簡単な説明】
【００１２】
【図１】本発明の物品吊下げ具を扉上端に取付けた状態を示す斜視図である。
【図２】図１の物品吊下げ具の分解斜視図である。
【図３】図３の物品吊下げ具を組み立てた状態を示す斜視図である。
【図４】被取付体に取付けた時の挟持力を説明するための断面模式図である。
【図５】本発明の物品吊下げ具をキッチンに使用した一例を示す斜視図である。
【発明を実施するための形態】
【００１３】
本発明に係る物品吊下げ具の実施形態を実施例に基づいて以下に説明する。
【実施例】
【００１４】
実施例に係る物品吊下げ具につき、図１ないし図５を参照して説明する。尚、実施例では、図１、図５における紙面左下方側を被取付体７又はキッチン台１の前面側（正面側）とし、紙面右上方側を裏面側（後面側）として説明する。
【００１５】
図５の符号１は、厨房に配置されるキッチン台１であり、このキッチン台１のカウンター２の面上には、加熱機器４、シンク５、蛇口６等が設けられるとともに、キッチン台１の側周面の一部である正面には、シンク部分を前面から隠す幕板７ａや収納部である開き戸扉３及び引出し９が設けられている。各引出しの正面側には、該引出し９の収納部をキッチン台１の本体内部から引出し自在とするための開口を閉塞可能な扉体７や、開き戸扉３である扉体７が取付けられており、引出し９の各扉の上部には、扉体７の左右方向の全幅に渡って延びるライン取手７ｂが配置されている。このライン取手７ｂは、側面視で正面側が開口された略コ字形状を成している。
【００１６】
これら引出し９のうち、最上段の引出し９における扉体７の上端縁部には、物品の一例であるタオル８を保持する本発明の一実施例である物品吊下げ具１０が取付けられている。このタオル８は、長手方向を４つ折り（２つ折り以上）に折り畳まれた状態で物品吊下げ具１０の開口部１８に挿入させて吊下げられている。上段の引出し９における扉体７には、図１に示すように、扉体７の上端部にライン取手７ｂが幅方向に設けられており、使用者がライン取手７ｂに手を掛けて引くことで引出し９を開くことができる。
【００１７】
本実施例の物品吊下げ具１０は、図１乃至図３に示すように、扉体７の上端のライン取手７ｂを前後から挟み込んで引出し扉体７上端に取り付けるための取付体４０と、タオル８を吊下げ可能な懸架体３０とから構成されている。取付体４０及び懸架体３０はそれぞれ硬質樹脂製の一体成形品であり、それらを組み立てて物品吊下げ具１０として構成される。
【００１８】
取付体４０は、図２に示す如く、基部４１の前側両端に突設された掛支体保持部４４と、基部４１の上端両端の後方に延設された一対の水平片４２と、水平片４２の端部から下方に向かって延設された垂下片４３と、基部４１の裏面下方から垂下片４３との間隔を狭めるように上方に向かって延設された一対の湾曲形状の弾性片４５から構成されており、弾性片４５の上端は水平片４２との間で隙間を有し、基部４１との間も弾性片４５の上端が基部４１側に押圧弾性可能に所定距離の隙間を設けて構成されている。
【００１９】
図１に示す如く、取付体４０の被取付体７である扉体７への取付けは、基部４１と水平片４２と垂下片４３からなる側面視で鉤形状の下方開口部分を扉体７の上端に押し込むことで取付けでき、基部４１下端から垂下片側上方に延設された弾性片４５と垂下片４３で扉体７を挟持させて取付けられる。
【００２０】
また、一対の弾性片４５の上部で垂下片側と、一対の垂下片４３の下部で弾性片側には、水平方向に直線状の凸条４３１、４５１がそれぞれ設けられ、扉体７に物品吊下げ具１０を取り付けた場合に、それぞれの凸条４３１、４５１の先端部分が扉体７の表裏面に当接し、複数の線接触にて扉体７を挟持し接触抵抗を大きくして、物品吊下げ具１０の左右方向の回転力や上方への引張力に対して回転しにくく且つ抜け難くしている。
【００２１】
図４に物品吊下げ具１０の取付体４０がライン取手７ｂ付き扉体７を挟持して取付けられた場合の扉体７にかかる力と取付体４０にかかる力について断面模式図で示す。
扉体７を挟む力は、扉厚みが弾性片４５を手前側に押圧する弾性力で決まり、弾性片上部凸条４５１の挟持方向の力ｆ１と垂下片上端ライン取手７ｂ裏面当接部の挟持方向の力ｆ２の和となるため、取付体４０は扉体７を前後方向に均一に狭持し前後方向のガタが防止される。
【００２２】
物品吊下げ具１０の手前側への回転力に対しては、弾性片４５の延設部である基部４１下端に、弾性片を押し広げた反力Ｆ３が外向きに働くことにより手前側への回動を抑制する。また逆に後方への回転力に対しては垂下片下部の凸条４３１が扉体裏面に当接するため、垂下片４３の撓み力Ｆ４の反力が働き、後方への回転を抑制するため、前後方向の物品吊下げ具１０の回転に対しても取付体４０が扉体７から外れることはない。そして、本実施例のライン取手７ｂのように前面に窪みがある扉体７であっても確実に物品吊下げ具１０を取付けることが可能となっている。
【００２３】
次に物品吊下げ具１０の懸架体３０について説明する。懸架体３０は、取付体４０の基部４１両端に延設された一対の掛支体保持部４４を介して取付体４０に脱着される。両掛支体保持部４４は、外側に嵌合凹部４６を設け、該嵌合凹部４６に懸架体３０の腕部３２先端側に設けられた嵌合凸軸３３を嵌め込むことで懸架体３０を取付体４０に組み付けることができる。懸架体３０は、両腕部３２の反嵌合凸軸側に両腕部３２を連結する掛支部３１が延設されており、両腕部３２と掛支部３１とで囲まれる開口部１８にタオル８等を通して吊下げることができるように構成されている。
【００２４】
両掛支体保持部４４の外側に設けられた嵌合凹部４６及び懸架体３０の両腕部３２の内側に設けられた嵌合凸軸３３には、円周方向で同じ間隔に、嵌合凹部４６には回り止め凹み４７と嵌合凸軸３３には回り止め突起３４が設けられており、懸架体３０を手前上下方向に回転させた場合に、回り止め凹部に回り止め突起３４が係止されて所定位置で回転停止できる構成とされている。本実施例では９０度ピッチで回り止め凹部と回り止め突起３４を設けているため、懸架体３０は前方方向と上及び下方向で停止させてタオル８等を吊下げることができる。
【００２５】
以上、本発明の実施例を図面により説明してきたが、具体的な構成はこれら実施例に限られるものではなく、本発明の要旨を逸脱しない範囲における変更や追加があっても本発明に含まれる。
【００２６】
本実施例では、取付体４０と懸架体３０を硬質樹脂製の一体成形品で、それらを着脱可能に構成した実施例で示したが、取付体４０と懸架体３０を一体成形してもよく、懸架体部分を図示しないが上に開いた鉤状の形状体にすれば、買い物用のナイロン袋などワッパ部分を吊下げやすく、また、部分的に取付体４０を金属製など他の材質で構成してもよい。
【００２７】
また、実施例では弾性片４５を垂下片側に突状の湾曲弾性片４５で図示したが、単純な平板形状の弾性片４５であってもよく、基部４１から上方に離れるに従って垂下片側との距離が狭まり扉体７を挟み込ませる形状のものであれば、特に形状は限定しない。また、水平片４２や垂下片４３も矩形平板形状で図示した実施例を示したが、垂下片４３の下端を円弧状にしたり、垂下片下端の凸条４３１も該円弧に併せて湾曲させたり、短い凸状を複数設けても良く、実施例とは違ったデザイン的に優れた形状であれば、更に良い。
【符号の説明】
【００２８】
１  キッチン台
２  カウンター（天板）
３  開き戸扉
４  加熱機器
５  シンク
６  蛇口（水栓）
７  扉体（被取付体）
７ａ  幕板
７ｂ  ライン取手
８  タオル
９  引出し
１０  物品吊下げ具
１８  開口部
３０  懸架体
３１  掛支部
３２  腕部
３３  嵌合凸軸
３４  回り止め突起
４０  取付体
４１  基部
４２  水平片
４３  垂下片
４３１  凸条
４４  掛支体保持部
４５  弾性片
４５１  凸条
４６  嵌合凹部
４７  回り止め凹み
【図１】
2011000384.tif 000003
【図２】
2011000384.tif 000004
【図３】
2011000384.tif 000005
【図４】
2011000384.tif 000006
【図５】
2011000384.tif 000007